(57)【要約】【課題】道具の出し入れが容易で安全な走行玩具を提供すること。【解決手段】走行玩具１は、先端開口部２１、ノック開口部２２、被係合開口部２３ａ及び下側開口部２４が形成された本体部２と、ノック部材３と、回動部材６と、クリップ７とを備える。ノック部材３は、先端開口部２１から出没可能な道具を把持する把持部３１と、ノック開口部２２内を摺動する押圧部３６と、被係合開口部２３ａに係合可能な係合部３２ａが先端に形成された係合片３２と、摺動軸受３４とを有し、ノック開口部２２側へ弾性部材により付勢される。回動部材６は、一端側に摺動軸受３４に挿入されるリンク軸６１を有し、他端側に当接部６３を有して、リンク軸６１の移動に伴い回動して当接部６３を下側開口部２４から出没させる。また、クリップ７は、本体部２の外周面において弾発可能に設けられ、被係合開口部２３ａに対向して突出した突起部７２を有する。【選択図】図２
2020089460.tif 000002
【特許請求の範囲】
【請求項１】
先端開口部、ノック開口部、被係合開口部及び下側開口部が形成された本体部と、
前記先端開口部から出没可能な道具を把持する把持部と、前記ノック開口部内を摺動する押圧部と、前記被係合開口部に係合可能な係合部が先端に形成された係合片と、摺動軸受とを有し、前記ノック開口部側へ弾性部材により付勢されるノック部材と、
一端側に前記摺動軸受に挿入されるリンク軸を有し、他端側に当接部を有して、前記リンク軸の移動に伴い回動して前記当接部を前記下側開口部から出没させる回動部材と、
前記本体部の外周面において弾発可能に設けられ、前記被係合開口部に対向して突出した突起部を有するクリップと、
を備えることを特徴とする走行玩具。
【請求項２】
前記ノック部材は、上端縁に第一切欠部を有し、
前記係合片は、前記第一切欠部内の前記先端開口部側から前記ノック開口部側へ向けて延設され、弾発可能に形成される、
ことを特徴とする請求項１に記載の走行玩具。
【請求項３】
前記本体部は、前輪及び後輪を回転可能に支持し、
前記後輪は、前記本体部内に設けられたプルバックゼンマイと接続される、
ことを特徴とする請求項１又は請求項２に記載の走行玩具。
【請求項４】
前記プルバックゼンマイが収容されるギアボックスを備え、
前記ノック部材は、下端縁に前記ギアボックスを配置させる第二切欠部を有する、
ことを特徴とする請求項３に記載の走行玩具。
【請求項５】
前記ノック部材は、左右に板面を向けた平板状に形成され、
前記摺動軸受は、下方へ開口した上下に長尺の切り欠き状に形成される、
ことを特徴とする請求項１乃至請求項４の何れかに記載の走行玩具。
【請求項６】
前記道具は、先端にペン先を有したボールペンの筆記芯であることを特徴とする請求項１乃至請求項５の何れかに記載の走行玩具。
【発明の詳細な説明】
【技術分野】
【０００１】
本発明は、走行玩具に関する。
【背景技術】
【０００２】
従来から、筆記芯を収容した走行玩具が提案されている。例えば、特許文献１に開示される道具付き走行玩具は、筆記具として使用する場合には、走行玩具の底面に設けられた操作レバーを前方へ操作して係止孔に係止させることで、インク芯の突出状態を保持することができる。このとき、走行玩具の底面からは突出レバーが走行面側に突出して走行玩具の走行は規制される。一方、走行玩具として使用する場合には、操作レバーを後方へ操作してインク芯を本体内に没入させ、突出レバーも走行玩具内へ収容させて前輪及び後輪を同時に接地させることができる。その同時接地状態を保持したまま走行玩具を後方に引くと、内部のゼンマイがチャージされる。そして、走行玩具の保持状態を解除することによって、ゼンマイの動力で後輪が回転駆動し、道具付き走行玩具を走行させることができる。
【先行技術文献】
【特許文献】
【０００３】
【特許文献１】特開２００６−１１０９４８号公報
【発明の概要】
【発明が解決しようとする課題】
【０００４】
しかしながら、特許文献１の道具付き走行玩具では、インク芯のペン先を出没させる操作を、本体の底面から突出した操作レバーにより行わせている。そのため、ペン先の出没状態の切り替え操作が煩雑である。
【０００５】
本発明は、以上の点に鑑み、道具の出し入れが容易で安全な走行玩具を提供することを目的とする。
【課題を解決するための手段】
【０００６】
本発明に係る走行玩具は、先端開口部、ノック開口部、被係合開口部及び下側開口部が形成された本体部と、前記先端開口部から出没可能な道具を把持する把持部と、前記ノック開口部内を摺動する押圧部と、前記被係合開口部に係合可能な係合部が先端に形成された係合片と、摺動軸受とを有し、前記ノック開口部側へ弾性部材により付勢されるノック部材と、一端側に前記摺動軸受に挿入されるリンク軸を有し、他端側に当接部を有して、前記リンク軸の移動に伴い回動して前記当接部を前記下側開口部から出没させる回動部材と、前記本体部の外周面において弾発可能に設けられ、前記被係合開口部に対向して突出した突起部を有するクリップと、を備えることを特徴とする。
【発明の効果】
【０００７】
本発明によると、道具の出し入れが容易で安全な走行玩具を提供することができる。
【図面の簡単な説明】
【０００８】
【図１】本発明の実施形態に係る走行玩具の裏面側から見た斜視図である。
【図２】本発明の実施形態に係る図１の走行玩具のＩＩ−ＩＩ断面図である。
【図３】本発明の実施形態に係る走行玩具について上ケースを省略して示した平面図である。
【図４】本発明の実施形態に係る走行玩具の上ケースを内側から見た底面図である。
【図５】本発明の実施形態に係るノック部材、筆記芯及び回動部材の斜視図である。
【図６】本発明の実施形態に係る走行玩具の図２のＩＩ−ＩＩ断面図におけるペン先を突出させた状態を示す図である。
【発明を実施するための形態】
【０００９】
以下、本発明の実施形態を説明する。図１は走行玩具１の裏面側から見た斜視図である。走行玩具１は、前後方向に長尺な略角柱状の鉄道の先頭車両を模しており、前端側が窄まるように形成される。走行玩具１は、内部に設けられたプルバックゼンマイと接続される後輪５２が駆動輪として機能し、前方へ走行することができる。また、走行玩具１は、後端の押圧部３６を押圧してボールペンの筆記芯４を先端開口部２１から突出させることができるため、筆記具としても使用することができる。
【００１０】
図２は、図１の走行玩具１のＩＩ−ＩＩ断面図である。また、図３は走行玩具１について上ケース２ｂを省略して示した平面図あり、図４は走行玩具１の上ケース２ｂを内側から見た底面図である。走行玩具１は、下ケース２ａ及び上ケース２ｂにより形成される本体部２と、本体部２内に収容されるノック部材３とを備える。下ケース２ａと上ケース２ｂとは、下ケース２ａから立設する係合突起２ａ１が上ケース２ｂに設けられた被係合溝２ｂ１に係合して位置決めされ、下ケース２ａの貫通孔２ａ２（図３等参照）を介して下方から挿入させた螺子を上ケース２ｂの螺子孔２ｂ２（図４参照）に螺入させて固定することができる。
【００１１】
本体部２は、前端に設けられた略円形の先端開口部２１と、ノック部材３の後方への移動を規制する被係合開口部（第一被係合開口部２３ａ及び第二被係合開口部２３ｂ）と、後述の回動部材６を出没させる下側開口部２４と、を備える。
【００１２】
第一被係合開口部２３ａは、本体部２の天面に配置される。また、第二被係合開口部２３ｂは、本体部２の天面において第一被係合開口部２３ａよりも後方側に配置される。第一被係合開口部２３ａ及び第二被係合開口部２３ｂは、略矩形状の貫通孔として形成される。
【００１３】
図３において、本体部２の内部底面には、前後に延設された前方摺動溝２５１と、前方摺動溝２５１の後端から段部２５２を介して後方に延設された中間摺動溝２５３とが設けられる。中間摺動溝２５３は前方摺動溝２５１よりも広幅に形成される。本体部２の底面における前方摺動溝２５１の左右には、前輪５１の下端を本体部２の下方へ露出させる車輪開口部２６１ａが形成される。また、車輪開口部２６１ａ間に亘って軸受溝２６１が形成される。車輪開口部２６１ａは、前方摺動溝２５１よりも下方に配置される。軸受溝２６１には、前輪５１の車軸５１ａが収容される。
【００１４】
図２等に示すように、中間摺動溝２５３の後端側の底部には、前後に長尺な略矩形状の下側開口部２４が形成される。また、中間摺動溝２５３の後方には、ギアボックス８を収容する収容部２７が形成される。収容部２７は、略矩形溝状に形成されており、前方側に前後に弾発可能な板状の係合板２７１を有し、後方側にギアボックス８の突起部８１と係合する係合溝２７２を有する。
【００１５】
収容部２７の左右には、後輪５２の下端を本体部２の下方へ露出させる左右の車軸開口部２６２ａが形成される。後輪５２の車軸５２ａは、ギアボックス８内に挿通されて内部のプルバックゼンマイと接続される。
【００１６】
収容部２７の後方には、前後に長尺の後方摺動溝２５４が形成される。また、後方摺動溝２５４の後方である本体部２の後端には、略矩形状に貫通したノック開口部２２が形成される。
【００１７】
図４において、上ケース２ｂの前端側の内面からは、筆記芯４の上方への移動を規制するとともに、筆記芯４の前後動を案内するガイド突起２８１が立設している（図２も参照）。また、上ケース２ｂには、前輪５１の車軸５１ａを上方から覆う２個の車軸ガイド２８２が立設している。各車軸ガイド２８２の先端２８２ａは、軸受溝２６１を閉塞するように車軸５１ａの上方側に近接配置される（図２も参照）。よって、車軸５１ａ及び車軸５１ａの両端に固定された前輪５１は、本体部２に対して回転可能に支持される。
【００１８】
上ケース２ｂの後方側には、ノック部材３の前後動を案内する２枚のガイド板２９が設けられる。ガイド板２９は、上ケース２ｂの天面内部から立設して、前後方向に延設される。
【００１９】
図５は、ノック部材３、筆記芯４及び回動部材６の斜視図である。ノック部材３は、左右に板面を向けた略矩形板状に形成される。ノック部材３の左右の板面には、前後に延設されたリブ３ａが設けられる。ノック部材３の前端下方には、筆記芯４を把持する前方に開口した有底円筒状の把持部３１が形成される。ノック部材３の前端は、上端縁から把持部３１にかけて、前方へ傾斜している。なお、図示しないが、把持部３１には、筆記芯４の後端開口に空気を流通させるための底部の孔等が設けられる。
【００２０】
ノック部材３の上端縁には、前後に長尺な略矩形状の第一切欠部３２１が形成される。第一切欠部３２１内の前方側の切欠底部からは、上方へ立設した後、後方へ屈曲して弾発力を備えて延設された係合片３２が形成される。係合片３２の先端には、第一被係合開口部２３ａ及び第二被係合開口部２３ｂに弾発して係合可能な係合部３２ａが形成される。また、第一切欠部３２１の後側の上端縁は、段部３２２を介して低く延設されて押圧部３６と接続される。
【００２１】
また、ノック部材３の下端縁には、図６に示す側面視略台形状に下方へ拡開する第二切欠部３３が形成される。第二切欠部３３内には、ギアボックス８が配置される。第二切欠部３３の前側内縁には、２枚の軸受板３３１（３３１ａ，３３１ｂ）が形成される。２枚の軸受板３３１は、それぞれ本体部２の右側（図２等の軸受板３３１ａ）及び左側（図５の軸受板３３１ｂ）に設けられる。各軸受板３３１ａ，３３１ｂには摺動軸受３４が形成される。摺動軸受３４は、摺動軸受３４の下端側に配置され、下方へ開口した上下に長尺の切り欠き状に形成される。摺動軸受３４は、後述の回動部材６の一部を内部に挿入して、回動部材６を回動制御することができる。
【００２２】
また、図２に示すように、軸受板３３１ａ，３３１ｂ間の空間には、第二切欠部３３の底部から前方へ連設される上壁３３２と、上壁３３２の前端から下方へ接続される前壁３３３とが形成される。前壁３３３の下端は、前方へ傾斜する傾斜面３３４と接続される。
【００２３】
ノック部材３の第二切欠部３３の後方側の下端には、平板状の突出部３５が形成される。突出部３５は、後方摺動溝２５４内に配置されてノック部材３の前後動を案内する。筆記芯４が本体部２内に収容されている状態では、突出部３５の後端が後方摺動溝２５４の後端と当接する。
【００２４】
ノック部材３の後端には、ノック開口部２２内に配置される押圧部３６が形成される。押圧部３６は、略直方体状に形成される。また、押圧部３６は、左右に延設された平板状の鍔部３６１を有する（図３も参照）。
【００２５】
図２において、筆記芯４は、後端が把持部３１内に収容されてノック部材３に対して固定される。筆記芯４は、前方摺動溝２５１と中間摺動溝２５３内に配置される。筆記芯４の外周には弾性部材であるコイルばねＳが巻回されている。コイルばねＳは、一端側が段部２５２と当接し、他端側が把持部３１の前端縁と当接して、圧縮状態で中間摺動溝２５３内に配置される。したがって、ノック部材３は、コイルばねＳにより、後方へ付勢されている。筆記芯４は、前方摺動溝２５１及び中間摺動溝２５３により、左右及び下方への移動が規制され、前後動が案内される。
【００２６】
図２及び図５に示すように、回動部材６は、一端側に左右方向に立設するリンク軸６１と、中央側において左右方向に立設する回動軸６２と、リンク軸６１とは反対側の他端側に形成される平板状の当接部６３とを有する。回動軸６２は本体部２に対して回動可能に支持されている。回動部材６は、摺動軸受３４に案内されたリンク軸６１の位置の移動に伴い、回動軸６２を中心に本体部２に対して回動し、当接部６３を下側開口部２４から出没させることができる。回動軸６２は、リンク軸６１よりも大径の略円柱状に形成される。
【００２７】
本体部２の外周面の天面側には、クリップ７が設けられる。クリップ７の基端部７１は本体部２の後端に固定されており、クリップ７は片持ちバネ状に弾発可能に形成される。また、クリップ７の先端７ａ側には、本体部２側に突出した突起部７２が形成される。突起部７２は第一被係合開口部２３ａと対向する位置に設けられる。そのため、第一被係合開口部２３ａは、突起部７２を挿通させて係合部３２ａを本体部２の内方へ押圧可能に形成される。
【００２８】
次に、本実施形態の走行玩具１の動作について図２及び図６を用いて説明する。図６は、図２のＩＩ−ＩＩ断面図に示した走行玩具１のペン先４１を突出させた状態を示す図である。
【００２９】
図２に示す走行玩具１は、係合部３２ａが第二被係合開口部２３ｂの内縁に係合して筆記芯４が収容されている。この状態では、鍔部３６１はノック開口部２２の周縁部と内側から当接し（図３参照）、ノック部材３の段部３２２はクリップ７の基端部７１の前端と当接する（図２参照）。そのためノック部材３の後方への移動は規制される。また、このとき摺動軸受３４に案内される回動部材６のリンク軸６１は回動軸６２よりも後方に位置して、当接部６３は下側開口部２４内へ収容される。
【００３０】
走行玩具１の後端に配置されるノック部材３の押圧部３６が前方へ押されると、ノック部材３はコイルばねＳの弾発力に抗して前方へ移動し始める。すると、係合片３２が本体部２の内側へ撓むことにより係合部３２ａが第二被係合開口部２３ｂから外れ、ノック部材３はさらに前進する。係合部３２ａが第一被係合開口部２３ａの位置に到達すると、係合部３２ａが係合片３２の弾発力により第一被係合開口部２３ａ内に係合し、コイルばねＳによるノック部材３の後方への移動は規制される。よって、図６に示すように、ノック部材３の前進位置は、押圧部３６への押圧操作を解除しても維持される。
【００３１】
また、ノック部材３の前進により、筆記芯４の先端に形成されるペン先４１は、先端開口部２１から外方へ突出する。これにより、走行玩具１を筆記具として使用することができる。また、ノック部材３の前進により、摺動軸受３４内のリンク軸６１が回動軸６２よりも前方へ案内されるため、回動部材６が回動して当接部６３が下側開口部２４の外方へ突出する。そのため、走行玩具１は載置面Ｒに対して前輪５１と当接部６３により支持されて、駆動輪である後輪５２が浮いた状態となる。よって、筆記芯４のペン先４１が突出した状態で走行玩具１が走行することを防止して、走行玩具１を筆記具として安全に使用することができる。
【００３２】
ペン先４１が突出した状態で、クリップ７の先端７ａが走行玩具１の本体部２側へ押圧されると、突起部７２が第一被係合開口部２３ａ内に位置する係合部３２ａを本体部２の内側に押し込んで、係合部３２ａの係合を解除することができる。すると、ノック部材３は、コイルばねＳに付勢されて後方へ移動する。ノック部材３が後方へ移動すると、係合部３２ａは係合片３２の弾発力により第二被係合開口部２３ｂに係合するとともに、鍔部３６１（図３参照）がノック開口部２２の周縁部の内側と当接する。また、突出部３５の後端が後方摺動溝２５４の後端と当接するとともに、段部３２２がクリップ７の基端部７１の前端と当接する。これにより、ノック部材３の後方への移動が規制される。
【００３３】
ノック部材３の後進により、押圧部３６はノック開口部２２から後方へ突出するとともに、筆記芯４のペン先４１は先端開口部２１内に没入する。また、ノック部材３の後進により、摺動軸受３４に案内された回動部材６のリンク軸６１が回動軸６２よりも後方へ移動して、当接部６３が下側開口部２４内へ収容される。そのため、走行玩具１は前輪５１と後輪５２により載置面Ｒに接地することができ、プルバックゼンマイと連結された後輪５２を駆動輪とした走行遊びを行うことができる。
【００３４】
次に、走行玩具１の走行遊びについて説明する。遊戯者が走行玩具１を把持する等して前輪５１及び後輪５２を接地させながら後方へ移動させると、後輪５２が後進方向に回転し、ギアボックス８内のプルバックゼンマイが巻き上げられて弾性力による位置エネルギーが蓄えられる。その後、走行玩具１の把持状態を解放すると、プルバックゼンマイの弾発力により後輪５２が前進方向へ回転駆動し、走行玩具１は前方へ走行することができる。前方へ発進した走行玩具１は、載置面Ｒから受ける摩擦等により運動エネルギーを失って停止する。
【００３５】
このように、走行玩具１は、安全な走行遊びを行うことができるとともに筆記芯４を容易に出し入れ可能な筆記具としても使用することができる。
【００３６】
以上、本発明の実施形態を説明したが、本発明は本実施形態によって限定されることはなく、種々の態様で実施することができる。例えば、ボールペンの筆記芯４の代わりに、出没可能な道具として、鉛筆、消しゴム、カッター等の文房具を配置してもよいし、ドライバー、錐等の工具を配置してもよい。
【００３７】
また、本実施形態では、貫通孔である第二被係合開口部２３ｂが設けられた構成について示したが、第二被係合開口部２３ｂの代わりに貫通しない溝部を設けてもよい。また、ノック部材３の後方への移動は鍔部３６１によっても規制することができるため、第二被係合開口部２３ｂの位置には係合部３２ａと係合する開口部や溝部を設けない構成としてもよい。
【００３８】
また、走行玩具１の本体部２の外観は、鉄道の先頭車両に限らず、自動車等のその他の走行車両を模して形成してもよい。
【符号の説明】
【００３９】
１        走行玩具                    ２        本体部
２ａ      下ケース                    ２ａ１    係合突起
２ａ２    貫通孔                      ２ｂ      上ケース
２ｂ１    被係合溝                    ２ｂ２    螺子孔
３        ノック部材                  ３ａ      リブ
４        筆記芯                      ６        回動部材
７        クリップ                    ７ａ      先端
８        ギアボックス                ２１      先端開口部
２２      ノック開口部                ２３ａ    第一被係合開口部
２３ｂ    第二被係合開口部            ２４      下側開口部
２７      収容部                      ２９      ガイド板
３１      把持部                      ３２      係合片
３２ａ    係合部                      ３３      第二切欠部
３４      摺動軸受                    ３５      突出部
３６      押圧部                      ４１      ペン先
５１      前輪                        ５１ａ    車軸
５２      後輪                        ５２ａ    車軸
６１      リンク軸                    ６２      回動軸
６３      当接部                      ７１      基端部
７２      突起部                      ８１      突起部
２５１    前方摺動溝                  ２５２    段部
２５３    中間摺動溝                  ２５４    後方摺動溝
２６１    軸受溝                      ２６１ａ  車輪開口部
２６２ａ  車軸開口部                  ２７１    係合板
２７２    係合溝                      ２８１    ガイド突起
２８２    車軸ガイド                  ２８２ａ  先端
３２１    第一切欠部                  ３２２    段部
３３１    軸受板                      ３３１ａ  軸受板
３３１ｂ  軸受板                      ３３２    上壁
３３３    前壁                        ３３４    傾斜面
３６１    鍔部                        Ｒ        載置面
Ｓ        コイルばね
【図１】
2020089460.tif 000003
【図２】
2020089460.tif 000004
【図３】
2020089460.tif 000005
【図４】
2020089460.tif 000006
【図５】
2020089460.tif 000007
【図６】
2020089460.tif 000008